(57)【特許請求の範囲】
【請求項１】
内部に釣り糸を挿通させることが可能な中通し竿であって、
釣り糸が挿通する糸挿通経路が内部に形成されるとともに、釣り糸を前記糸挿通経路に導入するための糸導入孔が外周部に形成された竿体と、
前記竿体が嵌め込まれる貫通孔が形成された筒状の形状を呈し前記竿体の外周面に取り外し自在に装着されるガイド本体と、前記ガイド本体に固定され前記糸導入孔に釣り糸を案内する糸案内部とを有する糸導入ガイドと、
を備えた中通し竿。
【請求項２】
内部に釣り糸を挿通させることが可能な中通し竿であって、
釣り糸が挿通する糸挿通経路が内部に形成されるとともに、釣り糸を前記糸挿通経路に導入するための糸導入孔が外周部に形成された竿体と、
前記竿体の外周面であって前記糸導入孔の後方に前記糸導入孔に対する位置関係が調整自在となるように軸方向に移動自在に装着される筒状のガイド本体と、前記ガイド本体に固定され前記糸導入孔に釣り糸を案内する糸案内部とを有する糸導入ガイドと、
を備えた中通し竿。
【請求項３】
前記糸案内部は、前記糸導入孔の竿元側の端部と竿先側の端部の間に配置されている、請求項１又は２に記載の中通し竿。
【請求項４】
内部に糸挿通経路を有し、前記竿体の竿先側部に嵌合可能でかつ前記竿体の内部に収納可能な内側竿体をさらに有している、請求項１から３のいずれかに記載の中通し竿。
【請求項５】
前記糸案内部は糸案内リングであり、
前記糸導入ガイドは、前記糸案内リングの竿元側に配置され釣り糸を前記糸案内リングに案内する竿元側の糸案内リングをさらに有し、
前記竿元側糸案内リングの内径は前記竿先側糸案内リングの内径よりも大きい、請求項１から４のいずれかに記載の中通し竿。
【請求項６】
前記糸導入ガイドは、前記竿元側糸案内リングと前記竿先側糸案内リングとが両端に装着された糸導入パイプをさらに有し、
前記ガイド本体は、前記糸導入パイプを保持するとともに前記竿体に対して軸方向に移動可能でかつ前記竿体から取り外し可能であり、
前記糸導入パイプは竿元側端部の内径が竿先側端部の内径よりも大きい、
請求項５に記載の中通し竿。
【発明の詳細な説明】
【０００１】
【発明の属する技術分野】
本発明は、中通し竿、特に、糸導入孔に釣り糸を案内する糸案内部を備えた中通し竿に関する。
【０００２】
【従来の技術】
振出形式の中通し竿は、釣り糸の挿通経路を内部に有する複数の竿体を有している。そして、穂先側の竿体は、それぞれその竿元側の竿体内部に収納可能となっている。また、一般的に元竿の外周部には、内部の糸挿通経路に釣り糸を導くための糸導入孔が形成されている。
【０００３】
このような中通し竿では、リールからの釣り糸は、糸導入孔を通して竿体内部の糸挿通経路に導入される。そして、各竿体内部の糸挿通経路を通して穂先竿先端のトップガイドに導かれ、このトップガイドから外部に導出される。
また前記中通し竿において、リールと糸導入孔との間にガイドリングが設けられている。このガイドリングは、リールからの釣り糸が糸導入孔の適切な位置に案内されるように、その高さ及び軸方向の位置が調整されている。
【０００４】
【発明が解決しようとする課題】
前記のようなガイドリングは、竿体の外周に突出するように装着されている。このため、特に振出式の中通し竿において元竿より竿先側の竿体にガイドリングを装着した場合、このガイドリングが邪魔になって分解ができないという問題がある。中通し竿の場合は、竿体の内部に異物が溜まりやすいため、竿体内部の清掃が重要になるが、前記のようにガイドリングのために分解できない場合は、竿体内部の清掃が非常に困難になる。
【０００５】
また、前述のように、ガイドリングの高さと位置は、リールと糸導入孔との間の位置関係で調整されている。このため、竿体に装着されるリールの高さ等が変わると、ガイドリングの適切な位置も変わり、極端な場合には、ガイドリングがあるために釣り糸の繰り出し抵抗が増えてしまう場合もある。
本発明の課題は、糸案内部を有する中通し竿において、容易に分解ができるようにすることにある。
【０００６】
本発明の別の課題は、竿体に装着されるリールの高さ等が変わっても、糸案内部を常に適切な位置に配置できるようにすることにある。
【０００７】
【課題を解決するための手段】
発明１に係る中通し竿は、内部に釣り糸を挿通させることが可能な中通し竿であって、竿体と糸案内部とを備えている。竿体は、釣り糸が挿通する糸挿通経路が内部に形成されるとともに、釣り糸を糸挿通経路に導入するための糸導入孔が外周部に形成されている。糸導入ガイドは、竿体が嵌め込まれる貫通孔が形成された筒状の形状を呈し竿体の外周面に取り外し自在に装着される筒状のガイド本体と、ガイド本体に固定され糸導入孔に釣り糸を案内する糸案内部とを有する。
【０００８】
この中通し竿では、釣り糸は、糸案内部に案内されて竿本体の糸導入孔に導入される。そして、竿体内部の糸挿通経路に導かれる。糸案内部は、竿体の外周に装着されるが、取り外しが自在である。このため、糸案内部が元竿より竿先側の竿体に設けられている場合でも、この糸案内部を竿体から取り外すことにより各竿体を分解することができ、竿体内部の清掃が容易になる。
【０００９】
発明２に係る中通し竿は、内部に釣り糸を挿通させることが可能な中通し竿であって、竿体と糸案内部とを備えている。竿体は、釣り糸が挿通する糸挿通経路が内部に形成されるとともに、釣り糸を糸挿通経路に導入するための糸導入孔が外周部に形成されている。糸導入ガイドは、竿体の外周面であって糸導入孔の後方に糸導入孔に対する位置関係が調整自在となるように軸方向に移動自在に装着される筒状のガイド本体と、ガイド本体に固定され糸導入孔に釣り糸を案内する糸案内部とを有する。
【００１０】
この中通し竿では、釣り糸は糸案内部により糸導入孔に導入され、竿体内部の糸挿通経路に導かれる。ここで、通常、糸案内部は、リールからの釣り糸が糸導入孔の適切な位置に導かれるような高さ、軸方向の位置に設定される。しかし、装着されるリールが変更されると、リールからの釣り糸の繰り出し位置及び高さが変わり、したがって糸案内部の位置も変える必要がある。本発明では、糸案内部の軸方向の位置が調整自在であるので、糸案内部の位置を常に適切な位置に配置できる。
【００１１】
発明３に係る中通し竿は、発明１又は２の中通し竿において、糸案内部は、糸導入孔の竿元側の端部と竿先側の端部の間に配置されている。ここでは、糸案内部を通った釣り糸は糸導入孔の端部に接触しない。このため、釣り糸の繰り出し時の接触抵抗が小さくなる。
発明４に係る中通し竿は、発明３の中通し竿において、内部に糸挿通経路を有し、竿体の竿先側部に嵌合可能でかつ竿体の内部に収納可能な内側竿体をさらに有している。
【００１２】
この中通し竿では、竿体の内部に内側竿体がさらに設けられ、釣り糸はこの内側竿体の内部の糸挿通経路に導入される。内側竿体は、使用時には竿体の竿先側部に嵌合され、収納時は竿体の内部に収納される。ここでは、糸案内部が糸導入孔の後端縁より前方に位置しているので、内側竿体が竿体内部に収納される際に、釣り糸は糸案内部によって折り返され、糸導入孔の後端縁とは強く接触しない。このため、糸導入孔の後端縁での糸切れが少なくなる。
【００１３】
発明５に係る中通し竿は、発明１から４のいずれかの中通し竿において、糸案内部は糸案内リングである。また、糸導入ガイドは、糸案内リングの竿元側に配置され釣り糸を糸案内リングに案内する竿元側の糸案内リングをさらに有している。そして、竿元側糸案内リングの内径は竿先側糸案内リングの内径よりも大きい。ここでは、釣り糸は、まず竿元側の内径の大きい糸案内リングにより案内され、さらに竿先側の内径の小さい糸案内リングにより案内されて糸導入孔に導かれる。このため、例えばリールによって巻き癖のついた釣り糸は、円状態から段階的に直線に収束していくことになり、トータル的に釣り糸の繰り出し抵抗が少なくなる。
【００１４】
発明６に係る中通し竿は、発明５の中通し竿において、糸導入ガイドは、竿元側糸案内リングと竿先側糸案内リングとが両端に装着された糸導入パイプをさらに有している。また、ガイド本体は、糸導入パイプを保持するとともに竿体に対して軸方向に移動可能でかつ竿体から取り外し可能である。そして、糸導入パイプは竿元側端部の内径が竿先側端部の内径よりも大きい。
【００１５】
この中通し竿では、ガイド本体を軸方向に移動させることにより竿先側の糸案内リングが移動し、竿先側糸案内リングを常に適切な位置に配置できる。また、ガイド本体を竿体から取り外すことにより、糸案内リングを竿体から取り外すことができ、各竿体の分解が可能になり、竿体内部の清掃が容易になる。また、糸導入パイプは糸導入孔側の内径が小さくなっているので、前記同様に、釣り糸の巻き癖を無理なく直線に収束させることができる。
【００１６】
【発明の実施の形態】
［中通し竿全体の構成］
図１〜図３において、本発明の一実施形態による投釣り用の中通し竿は４本継ぎの振出竿である。中通し竿は、元竿１と、元竿１の内部に収納可能な元上竿２と、元上竿２の内部に収納可能な中間竿３と、中間竿３の内部に収納可能であり先端にトップガイド１５が装着された穂先竿４とを有している。各竿体１〜４はそれぞれわずかに先細りの筒状に形成されており、元上竿２と中間竿３と穂先竿４の内部には釣り糸が挿通する糸挿通経路（図示せず）が形成されている。また、各竿体１〜４の後端部には尻栓５〜８（図４）がそれぞれ着脱自在に装着されている
［元竿及びその尻栓］
元竿１の外周面にはスピニングリール１０が装着されるリールシート１１が形成されている。元竿１の後端部周面にはグリップ１２が嵌め込まれており、グリップ１２の後端に尻栓５が着脱自在に装着されている。
【００１７】
尻栓５は、図４に示すように、キャップ２０と、キャップ２０が後端に嵌め込まれた栓部２１と、栓部２１の内部に嵌め込まれた嵌合座部２２とを有している。キャップ２０は弾性体製であり、栓部２１の後端を覆うように嵌め込まれている。栓部２１は略筒状の部材であり、ほぼ前半分部分の外周面には、元竿１の後端に形成された雌ネジ部にねじ込まれる雄ネジ部２３が形成されている。また、栓部２１の内周面には嵌合座部２２が接着により固定されている。嵌合座部２２はゴム等の材料で形成された弾性体製の略筒状の部材であり、途中に元竿１の内径よりやや小さい外径の鍔部２４を有している。鍔部２４の図４右側（後面）には、栓部２１の先端が当接している。鍔部２４の図４左側（前方側）には、先端角部に曲面を有する小径の突起部２５が形成されている。
【００１８】
［元上竿］
元上竿２の前部の外周部には、図１〜図３に示すように、スピニングリール１０に巻き付けられた釣り糸Ｌを内部の糸挿通経路に導入するための糸導入孔１３が形成されている。元上竿２の糸導入孔１３が形成された部分を含む所定の範囲は、糸導入孔１３の形成による曲げ強さの低下を抑えるために他の部分より厚肉の肉厚部１６となっている。糸導入孔１３の後部には、糸導入孔１３に釣り糸Ｌを案内するための糸導入ガイド１４が着脱自在に装着されている。
【００１９】
また、元上竿２の前部において、糸導入孔１３より前方側には、図６に示すように、中間竿３の後部とほぼ等しい内径の合わせ部（嵌合部）４５が形成されており、この合わせ部４５の後方には、合わせ部４５より内径の大きい逃げ部４６が形成されている。逃げ部４６は、元上竿２の後端部まで連続しており、後端部まで同じ径あるいは漸次大きくなるようなテーパー形状に形成されている。合わせ部４５と逃げ部４６との境界部には段付部４７が形成されている。図６は、中間竿３の後部を元上竿２の合わせ部４５に嵌合した使用状態を示しているが、図に示すように、中間竿３の後端面は糸導入孔１３の前端縁よりも後方に位置している。
【００２０】
このように、段付部４７を糸導入孔１３の前端縁より前方に形成することで、後に詳述するように、竿体１〜４を伸縮するときに、中間竿３の外周面と糸導入孔１３の端縁との間に釣り糸が噛み込みにくくなる。
［糸導入ガイド］
糸導入ガイド１４は、図６及び図７に示すように、元上竿２の肉厚部１６に対して軸方向に位置調整が自在で、かつ取り外し自在に装着される筒状のガイド本体３０を有している。ガイド本体３０は、肉厚部１６に嵌め込むための貫通孔３２が形成された装着部３３と、装着部３３の外周側に前方に向かって斜め内周側向きに形成された貫通孔３４を有するガイド部３５とを有している。ガイド部３５の貫通孔３４には導入パイプ３１が嵌め込まれている。装着部３３とガイド部３５との間には、両貫通孔３２，３４に連なるスリット３６が形成されている。また、装着部３３とガイド部３５との間には、固定ボルト３７及びナット３８が装着されている。この固定ボルト３７をナット３８に螺合させて締め付けることによりスリット３６が狭くなり、装着部３３が元上竿２の肉厚部１６に固定されるとともに、貫通孔３４に嵌め込まれた導入パイプ３１が孔３４内に強固に固定される。
【００２１】
導入パイプ３１は、パイプ本体３９と、パイプ本体３９の前後の端部に装着された硬質リング４０ａ，４０ｂ（竿元側糸案内リング及び竿先側糸案内リング）とを有している。パイプ本体３９の内径４１は、前端から後端にいくにしたがって大きくなっており、後端の内径が最も大きい。また、パイプ本体３９は後端部に径の大きいフランジ部を有しており、このフランジ部に対応して貫通孔３４も径が大きくなっている。このため、導入パイプ３１は、貫通孔３４の後端側から装着可能である。硬質リング４０ａ，４０ｂはパイプ本体３９の両端の内周部に固定されている。そして、前側の硬質リング４０ｂの内径が後側の硬質リング４０ａの内径より小さくなっている。また、硬質リング４０ｂは糸導入孔１３の後端縁より前方でかつ前端縁より後方に位置している。さらに、硬質リング４０ｂの下端部は、元上竿２の外周面より内周側でかつ内周面より外周側に位置している。
【００２２】
このような硬質リング４０ｂの配置により、後述するように、各竿体１〜４の伸縮時に釣り糸が元上竿２内部に噛み込みにくくなる。
［元上竿の尻栓］
元上竿２の尻栓６は、図４に示すように、略筒状の栓部５０と、栓部５０の前部に嵌め込まれた当接部５１とを有している。栓部５０の内周部は、元竿１に装着された尻栓５の突起部２５の外周部に嵌合し、収納状態で尻栓５と尻栓６とが固定されるようになっている。栓部５０のほぼ前半分部分の外周面には、元上竿２の後端部に形成された雌ネジ部に螺合する雄ネジ部５３が形成されている。当接部５１には、図５に示すように、４つの突起５２が周方向に間隔を隔てて形成されている。この突起５２は中間竿３の尻栓７の後端に当接する。そして、当接したときに突起５２と中間竿３の尻栓７との間に釣り糸が通過可能な空間Ｐが形成される。
【００２３】
［中間竿及びその尻栓］
中間竿３は、前述のように、使用時は元上竿２の前部の合わせ部４５に後部が嵌合可能であり、収納時は元上竿２の内部に収納可能である。そして、内部に糸挿通経路が形成されている。
中間竿３の尻栓７は、図４に示すように、略筒状の部材であり、内部の貫通孔５５の両端に硬質リング５６ａ，５６ｂが嵌め込まれている。硬質リング５６ａの内径は硬質リング５６ｂの内径より大径である。また、硬質リング５６ｂが嵌め込まれた部分の前方には、貫通孔５５より大径の嵌合凹部５７が形成されている。この嵌合凹部５７は、前後にわたってその内径が同じである。また尻栓７のほぼ前半分部分の外周面には、中間竿３の後端部に形成された雌ネジ部に螺合する雄ネジ部５８が形成されている。使用時においては、図６に示すように、尻栓７の後端面は元上竿２の糸導入孔１３の前端縁より後方に位置する。
【００２４】
［穂先竿及びその尻栓］
穂先竿４は、使用時は中間竿３の前部の合わせ部に後部が嵌合可能であり、収納時はトップガイド１５を除いて中間竿３の内部に収納可能である。そして、内部に糸挿通経路が形成されている。
穂先竿４の尻栓８は、図４に示すように、略筒状の部材であり、内部の貫通孔６０の両端に硬質リング６１ａ，６１ｂが嵌め込まれている。また、尻栓８の後部には、後方にいくにしたがって径が細くなる先細りテーパ状の嵌合凸部６２が設けられている。この嵌合凸部６２の外周面には、ローレット目が加工されており、軸方向に沿った複数の溝が円周方向に所定の間隔で形成されている。そして、嵌合凸部６２は、中間竿３の尻栓の嵌合凹部５７の内側に嵌合する。このため、収納状態で尻栓７と尻栓８とが嵌合して中間竿３と穂先竿４とが固定されるようになっている。また、尻栓８の前部側の外周面には、穂先竿４の後端部に形成された雌ネジ部に螺合する雄ネジ部６３が形成されている。
【００２５】
［トップガイド］
図８に示すように、トップガイド１５は先広がり形状であり、穂先竿４の先端の外周面に嵌め込み固定されている。トップガイド１５の先端には硬質リング７０が嵌め込まれ、穂先竿４の先端にもそれより径が小さい硬質リング７１が嵌め込まれている。
【００２６】
［竿収納時］
このような実施形態の中通し竿において、図１に示す使用状態から図３に示す収納状態に釣り竿を縮めるときには、穂先竿４から順に竿元側の竿体の内部に収納する。穂先竿４を中間竿３に収納すると、穂先竿４の尻栓８が中間竿３の尻栓７に嵌合し、２つの竿体４，３が固定される。ここでは、尻栓８の嵌合凸部６２が尻栓７の嵌合凹部５７に嵌合するが、嵌合凸部６２はテーパ状で、しかもローレット目が形成されており、さらに嵌合凹部５７はストレートの筒状であるので、密着する面積が抑えられている。このようにして、両者が嵌合したまま抜けにくくなるのを防止している。
【００２７】
次にこの状態で中間竿３を元上竿２に収納すると、中間竿３の尻栓７の後端が元上竿２の尻栓６の先端の突起５２に当接し、空間Ｐが確保される。この収納時において、釣り糸は糸導入孔１３から中間竿３の外周に添ってその尻栓７まで延び、そこで折り返されて中間竿３の糸挿通経路に入る。このとき、突起５２によって尻栓７の後方に空間Ｐが形成されるので、中間竿３の竿尻部で釣り糸が踏まれて傷つくことがない。したがって、安心して釣り糸を装着した状態で中通し竿を収納できる。
【００２８】
さらに、元上竿２を元竿１の内部に収納する。この場合は、元上竿２の尻栓６が元竿１の尻栓５に嵌合し、これにより元上竿２と元竿１とが固定される。
ここでは、元竿１に対して元上竿２が嵌合により固定されるので、元上竿２を持って収納状態の中通し竿を持ち歩いても、元上竿２から元竿１が抜け落ちることはない。
【００２９】
また、各竿体の嵌合は尻栓で行っている。このため、尻栓の嵌合部のみを精度良く加工すれば良く、従来のように竿体の外径や内径を厳しく管理する必要がない。したがって、加工が簡単で、製造コストが安価になる。
また、この収納時における途中の状態を図６に一点鎖線で示すが、糸導入ガイド１４の前側の硬質リング４０ｂが糸導入孔１３の後端縁よりも前方側に位置するように装着されているので、硬質リング４０ｂと糸導入孔１３の後端縁との間に十分なスペースが確保される。また、糸導入孔１３の後端縁近傍は逃げ部４６となっているので、元上竿２の内周面と中間竿３の外周面との間の隙間も大きい。さらに、硬質リング４０ｂの下端は元上竿２の外周面よりもさらに内周側に位置している。このため、収納時において、糸導入孔１３の後端縁と中間竿３の外周面との間での糸噛みが起こりにくい。また、釣り糸は硬質リング４０ｂによって折り返され、糸導入孔１３の後端縁に接触しにくいので、糸導入孔１３の後端縁での接触による糸切れが起こりにくい。
【００３０】
［竿伸長時］
中通し竿を収納状態から使用状態にするには、先の収納時とは逆に、穂先側の竿体を竿元側の竿体内部から引き出す。そして、穂先側の竿体の後部を竿元側の合わせ部に嵌合する。
この伸長時に、中間竿３と元上竿２とを嵌合する際、元上竿２の段付部４７が糸導入孔１３の前端縁よりさらに前方に形成されているので、中間竿３の外周面と糸導入孔１３の前端縁との間に十分な隙間が確保され、この部分での釣り糸の噛み込みが生じにくい。
【００３１】
［糸通し時］
中通し竿の内部に釣り糸を通すときには，図２及び図６に示すように、穂先竿４を中間竿３に収納し両者を嵌合固定した状態で中間竿３を元上竿２の合わせ部４５に嵌合する。この状態では、中間竿３の尻栓７の後端面が糸導入孔１３の前端縁よりも後方に位置している。したがって、中間竿３の後端部の糸挿通経路を糸導入孔１３から用意に確認でき、糸通し具を使用して釣り糸を簡単に竿内に通すことができる。また、穂先竿４は中間竿３に対して尻栓同士の嵌合で固定されているので、糸通しの最中に中間竿３から穂先竿４が飛び出るのを防止でき、容易に糸通しを行える。
【００３２】
［使用時］
図１に示す使用状態では、中通し竿を振ってキャスティングするとき、釣り糸は、糸導入ガイド１４の導入パイプ３１内の内径の大きな硬質リング４０ａから内径の小さな硬質リング４０ｂに案内されて糸導入孔１３に導入される。このため、繰り出された直後の巻き癖のついた釣り糸を、円から段階的に直線に収束させることができ、放出時の抵抗が少なくなる。このため飛距離が向上する。
【００３３】
［分解時］
中通し竿を分解するときには、まず、糸導入ガイド１４を取り外す。この場合、固定ボルト３７を硬貨等を利用して外す。すると、導入パイプ３１が取り外し可能になり、装着部３０は軸方向に移動可能になる。そして、導入パイプ３１をある程度あるいは全部引き抜き、導入パイプ３１先端の硬質リング４０ｂが糸導入孔１３に引っ掛からないようにする。この状態で、糸導入ガイド１４を竿先側から取り外す。次に、元竿１の尻栓５から順に各尻栓６〜８を取り外し、各竿体を順に尻栓側から抜いていく。これにより、すべての竿を分解ができ、内部の汚れ等を確実に除去できる。
【００３４】
また、例えばリールを変更して釣り糸の経路が変わった場合でも、ここでは糸導入ガイド１４の位置を軸方向で調整できるので、糸導入孔１３あるいは中間竿３の糸挿通経路に対して常に最適な状態で釣り糸を導入できる。このため、特に釣り糸繰り出し時の接触抵抗を少なくできる。
〔他の実施形態〕
（ａ）前記実施形態では、４本継ぎの振出式中通し竿に本発明を適用したが、１本の中通し竿に対して、また２本継ぎ以上の中通し竿に対して本発明を同様に適用できる。
【００３５】
（ｂ）前記実施形態では、中通し竿の糸導入ガイドがブロック状の部材で構成されている場合について説明したが、リング状の部材がワイヤ等の取付部材で装着されているような外付けガイドを有する中通し竿にも、本発明を同様に適用できる。
【００３６】
【発明の効果】
以上のように本発明では、糸案内部が竿体に対して取り外し自在に装着されているので、各竿体を容易に分解でき、竿体内部の清掃が容易になる。また、糸案内部の軸方向での位置を調節できるので、竿体に装着されるリールの高さ等が変わっても、糸案内部を常に適切な位置に配置できる。
【図面の簡単な説明】
【図１】本発明の一実施形態による中通し竿の使用状態の側面図。
【図２】その糸通し時の側面図。
【図３】その収納状態の側面図。
【図４】収納時の尻栓の断面図。
【図５】尻栓の突起の配置を示す正面図。
【図６】糸導入ガイド付近の一部切欠き側面図。
【図７】図６のVII −VII 断面図。
【図８】トップガイドの断面図。
【符号の説明】
１  元竿
２  元上竿
１３  糸導入孔
１４  糸導入ガイド
３０  ガイド本体
３１  導入パイプ
４０ａ，４０ｂ  硬質リング
【図１】
0003651720.tif 000002
【図２】
0003651720.tif 000003
【図３】
0003651720.tif 000004
【図４】
0003651720.tif 000005
【図５】
0003651720.tif 000006
【図６】
0003651720.tif 000007
【図７】
0003651720.tif 000008
【図８】
0003651720.tif 000009